(57)【要約】    【課題】当該システムを構成する各種機器の機器番号を、設置場所の三次元位置情報をもとに設定し、煩雑な設定作業を不要にして作業効率を高める。    【解決手段】少なくとも３個以上の位置情報発信局５ａ、５ｂ、５ｃ、・・・と集合玄関機１ａ、１ｂの位置情報受信装置１０４、居室親機２ａ、２ｂ、２ｃ、・・・２ｍの位置情報受信装置２０３、管理室親機３ａ、３ｂの位置情報受信装置３０３との間でそれぞれ通信を行い受信された位置情報と、少なくとも３個以上の位置情報発信局と制御機４の位置情報受信装置４０２との間で通信を行い受信された位置情報との差分をとり算出された差分値をもとに、集合玄関機、居室親機及び管理室親機の各機器の制御機からの三次元位置を求め、三次元位置情報として制御機の表示部４００に表示する。また、表示部の表示内容を参照し、集合玄関機に割り当てるべき個別の玄関番号、居室親機に割り当てるべき個別の居室番号、及び管理室親機に割り当てるべき個別の管理室番号を、制御機の操作部４０１を使用して設定する。  【選択図】図１
2009033615.tif 000002
【特許請求の範囲】
【請求項１】
集合住宅の複数の集合玄関にそれぞれ設置される集合玄関機（１ａ、１ｂ）と、前記集合住宅の複数の住戸にそれぞれ設置され個別の居室番号を有し、前記集合玄関機からの呼び出しが報知され、前記呼び出しに応答して通話を成立させるための居室親機（２ａ、２ｂ、２ｃ、・・・２ｍ）と、前記集合玄関機、前記居室親機をそれぞれ制御するための制御機（４）とを設け、
前記居室親機には、３個以上の位置情報発信局（５ａ、５ｂ、５ｃ、・・・）との間で通信を行い、当該居室親機の位置情報を受信するための位置情報受信装置（２０３）を備え、
前記制御機には、前記居室親機の前記位置情報受信装置にて受信された位置情報をもとに三次元位置情報を表示するための表示部（４００）と、前記表示部に表示された三次元位置情報をもとに当該居室親機を選択し、前記個別の居室番号を設定するための操作部（４０１）とを備えたことを特徴とする集合住宅インターホンシステム。
【請求項２】
集合住宅の複数の集合玄関にそれぞれ設置され個別の玄関番号を有する集合玄関機（１ａ、１ｂ）と、前記集合住宅の複数の住戸にそれぞれ設置され、前記集合玄関機からの呼び出しが報知され、前記呼び出しに応答して通話を成立させるための居室親機（２ａ、２ｂ、２ｃ、・・・２ｍ）と、前記集合玄関機、前記居室親機をそれぞれ制御するための制御機（４）とを設け、
前記集合玄関機には、３個以上の位置情報発信局（５ａ、５ｂ、５ｃ、・・・）との間で通信を行い、当該集合玄関機の位置情報を受信するための位置情報受信装置（１０４）を備え、
前記制御機には、前記集合玄関機の前記位置情報受信装置にて受信された位置情報をもとに三次元位置情報を表示するための表示部（４００）と、前記表示部に表示された三次元位置情報をもとに当該集合玄関機を選択し、前記個別の玄関番号を設定するための操作部（４０１）とを備えたことを特徴とする集合住宅インターホンシステム。
【請求項３】
集合住宅の複数の管理室にそれぞれ設置され個別の管理室番号を有する管理室親機（３ａ、３ｂ）と、前記集合住宅の複数の住戸にそれぞれ設置され、前記管理室親機からの呼び出し又は一斉放送が報知され、前記呼び出しに応答して通話を成立させるための居室親機（２ａ、２ｂ、２ｃ、・・・２ｍ）と、前記管理室親機、前記居室親機をそれぞれ制御するための制御機（４）とを設け、
前記管理室親機には、３個以上の位置情報発信局（５ａ、５ｂ、５ｃ、・・・）との間で通信を行い、当該管理室親機の位置情報を受信するための位置情報受信装置（３０３）を備え、
前記制御機には、前記管理室親機の前記位置情報受信装置にて受信された位置情報をもとに三次元位置情報を表示するための表示部（４００）と、前記表示部に表示された三次元位置情報をもとに当該管理室親機を選択し、前記個別の管理室番号を設定するための操作部（４０１）とを備えたことを特徴とする集合住宅インターホンシステム。
【請求項４】
前記制御機には、前記３個以上の位置情報発信局との間で通信を行い、当該制御機の位置情報を受信するための位置情報受信装置（４０２）を備え、
前記制御機は、前記居室親機の前記位置情報受信装置にて受信された位置情報、前記集合玄関機の前記位置情報受信装置にて受信された位置情報、又は前記管理室親機の前記位置情報受信装置にて受信された位置情報と前記制御機の前記位置情報受信装置にて受信された位置情報との差分をとり差分値を算出し、前記居室親機、前記集合玄関機親機又は前記管理室親機の前記制御機からの三次元位置を求めることを特徴とする請求項１乃至請求項３のうち何れか１項記載の集合住宅インターホンシステム。
【発明の詳細な説明】
【技術分野】
【０００１】
本発明は、マンション等の集合住宅に設置される集合住宅インターホンシステムに係り、特に、当該システムを構成する各種機器の機器番号を設定する際の作業効率を高めた集合住宅インターホンシステムに関する。
【背景技術】
【０００２】
従来から、居室親機の居室番号のアドレス番号を、設定忘れや設定間違いがなく簡単に設定することができる集合住宅用インターホンシステムが開示されている（例えば、特許文献１を参照。）。
【０００３】
この集合住宅用インターホンシステムによれば、当該システムの施工後、居室親機用の送受器を居室番号書込機に接続することにより、当該居室番号書込機から居室番号のアドレス番号が発行されるので、当該送受器が有する居室番号保存用メモリに記憶される。この居室番号保存用メモリは、呼出、通話の際に読出して使用されるので、この居室番号保存用メモリを有する当該送受器を所定の居室親機に接続してフックオフし、この状態で玄関機の当該居室親機に対応させたい居室番号の呼出スイッチを押下すれば、通話状態となり通話確認テストが完了する。
【０００４】
【特許文献１】特開２００２−２６１９５１公報（段落［００１１］、［００１２］乃至［００２６］、図１乃至図３）
【発明の開示】
【発明が解決しようとする課題】
【０００５】
背景技術に記載した特許文献１の集合住宅用インターホンシステムにおいて、居室親機の居室番号のアドレス番号を設定するにあたっては、設定先である居室親機の設定スイッチを設定モードに切り替えた後、送受話器をフックオフして通話状態にせねばならず（特に、段落［００１７］）、居室親機がより複数台となる大規模な集合住宅に適用するにあたっては、その設定作業に煩雑さを有し、多大な時間が必要とされていた。
【０００６】
本発明は、この難点を解消するためになされたもので、当該システムを構成する各種機器の機器番号を、設置場所の三次元位置情報をもとに設定し、煩雑な設定作業を不要にして作業効率を高めた集合住宅インターホンシステムを提供することを目的としている。
【課題を解決するための手段】
【０００７】
前述の目的を達成するため、本発明の第１の態様である集合住宅インターホンシステムは、集合住宅の複数の集合玄関にそれぞれ設置される集合玄関機と、集合住宅の複数の住戸にそれぞれ設置され個別の居室番号を有し、集合玄関機からの呼び出しが報知され、呼び出しに応答して通話を成立させるための居室親機と、集合玄関機、居室親機をそれぞれ制御するための制御機とを設けたものである。居室親機には、３個以上の位置情報発信局との間で通信を行い、当該居室親機の位置情報を受信するための位置情報受信装置を備えている。制御機には、居室親機の位置情報受信装置にて受信された位置情報をもとに三次元位置情報を表示するための表示部と、表示部に表示された三次元位置情報をもとに当該居室親機を選択し、個別の居室番号を設定するための操作部とを備えている。
【０００８】
また、本発明の第２の態様である集合住宅インターホンシステムは、集合住宅の複数の集合玄関にそれぞれ設置され個別の玄関番号を有する集合玄関機と、集合住宅の複数の住戸にそれぞれ設置され、集合玄関機からの呼び出しが報知され、呼び出しに応答して通話を成立させるための居室親機と、集合玄関機、居室親機をそれぞれ制御するための制御機とを設けたものである。集合玄関機には、３個以上の位置情報発信局との間で通信を行い、当該集合玄関機の位置情報を受信するための位置情報受信装置を備えている。制御機には、集合玄関機の位置情報受信装置にて受信された位置情報をもとに三次元位置情報を表示するための表示部と、表示部に表示された三次元位置情報をもとに当該集合玄関機を選択し、個別の玄関番号を設定するための操作部とを備えている。
【０００９】
また、本発明の第３の態様である集合住宅インターホンシステムは、集合住宅の複数の管理室にそれぞれ設置され個別の管理室番号を有する管理室親機と、集合住宅の複数の住戸にそれぞれ設置され、管理室親機からの呼び出し又は一斉放送が報知され、呼び出しに応答して通話を成立させるための居室親機と、管理室親機、居室親機をそれぞれ制御するための制御機とを設けたものである。管理室親機には、３個以上の位置情報発信局との間で通信を行い、当該管理室親機の位置情報を受信するための位置情報受信装置を備えている。制御機には、管理室親機の位置情報受信装置にて受信された位置情報をもとに三次元位置情報を表示するための表示部と、表示部に表示された三次元位置情報をもとに当該管理室親機を選択し、個別の管理室番号を設定するための操作部とを備えている。
【００１０】
また、本発明の第４の態様である集合住宅インターホンシステムは、本発明の第１の態様乃至第３の態様のうち何れか１の態様において、制御機には、３個以上の位置情報発信局との間で通信を行い、当該制御機の位置情報を受信するための位置情報受信装置を備えている。制御機は、居室親機の位置情報受信装置にて受信された位置情報、集合玄関機の位置情報受信装置にて受信された位置情報、又は管理室親機の位置情報受信装置にて受信された位置情報と制御機の位置情報受信装置にて受信された位置情報との差分をとり差分値を算出し、居室親機、集合玄関機又は管理室親機の制御機からの三次元位置を求めるものである。
【発明の効果】
【００１１】
本発明の集合住宅インターホンシステムによれば、少なくとも３個以上の位置情報発信局と集合玄関機の位置情報受信装置との間で通信を行い受信された当該集合玄関機の位置情報と、少なくとも３個以上の位置情報発信局と制御機の位置情報受信装置との間で通信を行い受信された当該制御機の位置情報との差分をとり算出された差分値をもとに、集合玄関機の三次元位置を求め、三次元位置情報として制御機の表示部に表示することができる。これにより、当該システムの施工業者等は、表示部に表示された三次元位置情報をもとに、集合住宅のどの位置に集合玄関機が施工されているのか、或いは、どの位置に集合玄関機が増設されたのかを容易に確認することができるばかりでなく、集合玄関機に割り当てるべき個別の玄関番号を、制御機の操作部を使用して容易に設定することができるため、煩雑な設定作業が不要となり作業効率が高められる。
【００１２】
また、本発明の集合住宅インターホンシステムによれば、少なくとも３個以上の位置情報発信局と居室親機の位置情報受信装置との間で通信を行い受信された当該居室親機の位置情報と、少なくとも３個以上の位置情報発信局と制御機の位置情報受信装置との間で通信を行い受信された当該制御機の位置情報との差分をとり算出された差分値をもとに、居室親機の三次元位置を求め、三次元位置情報として制御機の表示部に表示することができる。これにより、当該システムの施工業者等は、表示部に表示された三次元位置情報をもとに、集合住宅のどの位置に居室親機が施工されているのか、或いは、どの位置に居室親機が増設されたのかを容易に確認することができるばかりでなく、居室親機に割り当てるべき個別の居室番号を、制御機の操作部を使用して容易に設定することができるため、煩雑な設定作業が不要となり作業効率が高められる。
【００１３】
さらに、本発明の集合住宅インターホンシステムによれば、少なくとも３個以上の位置情報発信局と管理室親機の位置情報受信装置との間で通信を行い受信された当該管理室親機の位置情報と、少なくとも３個以上の位置情報発信局と制御機の位置情報受信装置との間で通信を行い受信された当該制御機の位置情報との差分をとり算出された差分値をもとに、管理室親機の三次元位置を求め、三次元位置情報として制御機の表示部に表示することができる。これにより、当該システムの施工業者等は、表示部に表示された三次元位置情報をもとに、集合住宅のどの位置に管理室親機が施工されているのか、或いは、どの位置に管理室親機が増設をされたのかを容易に確認することができるばかりでなく、管理室親機に割り当てるべき個別の管理室番号を、制御機の操作部を使用して容易に設定することができるため、煩雑な設定作業が不要となり作業効率が高められる。
【発明を実施するための最良の形態】
【００１４】
以下、本発明の集合住宅インターホンシステムを適用した最良の実施の形態例について、図面を参照して説明する。図１は、本発明の実施例による集合住宅インターホンシステムの全体構成を示すシステム説明図である。
【００１５】
図１に示す集合住宅インターホンシステムは、マンション等の集合住宅に設置される当該システムであり、複数の集合玄関にそれぞれ設置される集合玄関機、ここでは、２台の集合玄関機１ａ、１ｂと、複数の住戸にそれぞれ設置される居室親機２ａ、２ｂ、２ｃ、・・・２ｍと、複数の管理室にそれぞれ設置される管理室親機、ここでは、２台の管理室親機３ａ、３ｂと、玄関ラインＬ1を経由してバス接続された集合玄関機１ａ、１ｂ、居室ラインＬ2を経由してバス接続された居室親機２ａ、２ｂ、２ｃ、・・・２ｍ、管理室ラインＬ3を経由してバス接続された管理室親機３ａ、３ｂをそれぞれ制御するための制御機４と、集合玄関機１ａ、１ｂ、居室親機２ａ、２ｂ、２ｃ、・・・２ｍ、管理室親機３ａ、３ｂ及び制御機４の各機器との間で無線通信を行うための３個以上の位置情報発信局５ａ、５ｂ、５ｃ、・・・とが設けられている。なお、位置情報発信局５ａ、５ｂ、５ｃ、・・・としては、例えば、ＧＰＳ（Global Positioning System）衛星が好適とされる。
【００１６】
また、集合玄関機１ａ、１ｂ及び制御機４の間、居室親機２ａ、２ｂ、２ｃ、・・・２ｍ及び制御機４の間、管理室親機３ａ、３ｂ及び制御機４の間の各接続の態様は、玄関ラインＬ1、居室ラインＬ2、管理室ラインＬ3をそれぞれ経由したバス接続の態様に限定されるものではない。例えば、渡り配線による接続を適用することもできる。
【００１７】
図１に示す集合玄関機１ａ、１ｂはそれぞれ、同様な構成で個別の玄関番号が割り当てられるものであって、集合玄関に居る人物、例えば、来訪者が、特定の住戸内に在室中の居住者（以下、特定の居住者という。）又は特定の管理室内に在室中の管理人（以下、特定の管理人という。）を呼び出して通話を成立させるためのものであり、操作部（以下、玄関操作部という。）１００、表示部（以下、玄関表示部という。）１０１、映像撮像部１０２、通話部（以下、玄関通話部という。）１０３及び位置情報受信装置１０４を有している。
【００１８】
ここで、玄関操作部１００は、来訪者が特定の居住者又は特定の管理人を呼び出すための所定の呼出操作を行うものであり、例えば、玄関表示部１０１の前面に配置されたタッチパネル上の操作ボタンで構成されている。また、玄関表示部１０１は、玄関操作部１００にて行われる呼出操作の操作情報等を表示するためのものであって、例えば、ＬＣＤ、ＰＤＰ、ＳＥＤ、有機ＥＬディスプレイ等の各種の表示媒体で構成されている。また、映像撮像部１０２は、呼出操作を行った来訪者の映像や集合玄関の周囲近傍の映像（監視映像を含む。）を撮像するためのものであって、例えば、ＣＣＤ、ＣＭＯＳ等の各種の撮像媒体で構成されている。また、玄関通話部１０３は、来訪者が特定の居住者又は特定の管理人との間で通話を成立させるための音声（送話音声、受話音声）を入出力するものであって、例えば、マイク及びスピーカで構成されている。さらに、位置情報受信装置１０４は、３個以上の位置情報発信局５ａ、５ｂ、５ｃ、・・・との間でそれぞれ無線通信を行い、自集合玄関機の位置情報を受信するためのものであり、例えば、ＧＰＳ受信機が好適とされる。
【００１９】
図２（ａ）は、集合玄関機１ａ、１ｂの具体的な構成を示すブロック図であり、図１に示す玄関操作部１００、玄関表示部１０１、映像撮像部１０２、玄関通話部１０３及び位置情報受信装置１０４と、記憶部（以下、玄関記憶部という。）１０５と、ＣＰＵ（以下、玄関ＣＰＵという。）１０６と、インターフェース（以下、玄関Ｉ／Ｆという。）１０７とが備えられている。
【００２０】
ここで、玄関記憶部１０５は、自集合玄関機に割り当てられる個別の玄関番号を記憶するとともに、位置情報受信装置１０４にて受信される自集合玄関機の位置情報を記憶するためのものであり、例えば、ＲＡＭ、ＥＥＰＲＯＭ等の各種の記憶媒体が好適とされる。また、玄関ＣＰＵ１０６は、当該集合玄関機の構成各部を制御するためのものである。また、玄関Ｉ／Ｆ１０７は、玄関ＣＰＵ１０６及び玄関ラインＬ1の間の信号伝送路を形成するためのものである。
【００２１】
図１に示す居室親機２ａ、２ｂ、２ｃ、・・・２ｍはそれぞれ、同様な構成で個別の居室番号が割り当てられるものであって、特定の集合玄関に居る来訪者（以下、特定の来訪者という。）又は特定の管理人からの呼び出しが報知され、この呼び出しに応答した居住者が通話を成立させるとともに、居住者が特定の管理人を呼び出して通話を成立させ、さらには、特定の管理人による一斉放送が行われるものであり、表示部（以下、居室表示部という。）２００、操作部（以下、居室操作部という。）２０１、通話部（以下、居室通話部という。）２０２及び位置情報受信装置２０３を有している。
【００２２】
ここで、居室表示部２００は、集合玄関機１ａ、１ｂの映像撮像部１０２にて撮像された映像を出画するとともに、特定の来訪者又は特定の管理人からの呼び出しがある旨の呼出情報、特定の管理人による一斉放送の内容をそれぞれ表示し、さらには、居室操作部２０１の操作情報等を表示するためのものであって、例えば、ＬＣＤ、ＰＤＰ、ＳＥＤ、有機ＥＬディスプレイ等の各種の表示媒体で構成されている。また、居室操作部２０１は、特定の来訪者又は特定の管理人からの呼び出しに居住者が応答するための所定の応答操作、居住者が特定の管理人を呼び出すための所定の呼出操作がそれぞれ行われるものであって、例えば、居室表示部２００の前面に配置されたタッチパネル上の操作ボタンや各種の独立した押圧ボタンで構成されている。また、居室通話部２０２は、居住者が特定の来訪者又は特定の管理人との間で通話を成立させるための音声（送話音声、受話音声）を入出力するものであって、例えば、マイク、スピーカ及びハンドセットで構成されており、このスピーカは、前述の通話機能の他に、特定の来訪者又は特定の管理人からの呼び出しがある旨の呼出音や音声メッセージ等を出力するとともに、特定の管理人による一斉放送の内容を出力することができる。さらに、位置情報受信装置２０３は、３個以上の位置情報発信局５ａ、５ｂ、５ｃ、・・・との間でそれぞれ無線通信を行い、自居室親機の位置情報を受信するためのものであり、例えば、ＧＰＳ受信機が好適とされる。
【００２３】
図２（ｂ）は、居室親機２ａ、２ｂ、２ｃ、・・・２ｍの具体的な構成を示すブロック図であり、図１に示す居室表示部２００、居室操作部２０１、居室通話部２０２及び位置情報受信装置２０３と、記憶部（以下、居室記憶部という。）２０４と、ＣＰＵ（以下、居室ＣＰＵという。）２０５と、インターフェース（以下、居室Ｉ／Ｆという。）２０６とが備えられている。
【００２４】
ここで、居室記憶部２０４は、自居室親機に割り当てられる個別の居室番号を記憶するとともに、位置情報受信装置２０３にて受信される自居室親機の位置情報を記憶するためのものであり、例えば、ＲＡＭ、ＥＥＰＲＯＭ等の各種の記憶媒体が好適とされる。また、居室ＣＰＵ２０５は、当該居室親機の構成各部を制御するためのものである。また、居室Ｉ／Ｆ２０６は、居室ＣＰＵ２０５及び居室ラインＬ2の間の信号伝送路を形成するためのものである。
【００２５】
図１に示す管理室親機３ａ、３ｂはそれぞれ、同様な構成で個別の管理室番号が割り当てられるものであって、特定の来訪者又は特定の居住者からの呼び出しが報知され、この呼び出しに応答した管理人が通話を成立させるとともに、管理人が特定の居住者を呼び出して通話を成立させる、又は複数の居住者に対して一斉呼び出しを行うものであり、表示部（以下、管理室表示部という。）３００、操作部（以下、管理室操作部という。）３０１、通話部（以下、管理室通話部という。）３０２及び位置情報受信装置３０３を有している。
【００２６】
ここで、管理室表示部３００は、集合玄関機１ａ、１ｂの映像撮像部１０２にて撮像された映像を出画するとともに、特定の来訪者又は特定の居住者からの呼び出しがある旨の呼出情報を表示し、さらには、管理室操作部３０１の操作情報等を表示するためのものであり、例えば、ＬＣＤ、ＰＤＰ、ＳＥＤ、有機ＥＬディスプレイ等の各種の表示媒体で構成されている。また、管理室操作部３０１は、特定の来訪者又は特定の居住者からの呼び出しに管理人が応答するための所定の応答操作、管理人が特定の居住者を呼び出すための所定の呼出操作、一斉放送のための所定の起動操作がそれぞれ行われるものであり、例えば、管理室表示部３００の前面に配置されたタッチパネル上の操作ボタンで構成されている。また、管理室通話部３０２は、管理人が特定の来訪者又は特定の居住者との間で通話を成立させるための音声（送話音声、受話音声）を入出力するものであって、例えば、マイク、スピーカ及びハンドセットで構成されており、このマイク又はハンドセット（のマイク）は、一斉放送の内容を入力することができ、スピーカは、前述の通話機能の他に、特定の来訪者又は特定の居住者からの呼び出しがある旨の呼出音や音声メッセージ等を出力することができる。さらに、位置情報受信装置３０３は、３個以上の位置情報発信局５ａ、５ｂ、５ｃ、・・・との間でそれぞれ無線通信を行い、自管理室親機の三次元位置情報を受信するためのものであり、例えば、ＧＰＳ受信機が好適とされる。
【００２７】
図２（ｃ）は、管理室親機３ａ、３ｂの具体的な構成を示すブロック図であり、図１に示す管理室表示部３００、管理室操作部３０１、管理室通話部３０２及び位置情報受信装置３０３と、記憶部（以下、管理室記憶部という。）３０４と、ＣＰＵ（以下、管理室ＣＰＵという。）３０５と、インターフェース（以下、管理室Ｉ／Ｆという。）３０６とが備えられている。
【００２８】
ここで、管理室記憶部３０４は、自管理室親機に割り当てられる個別の管理室番号を記憶するとともに、位置情報受信装置３０３にて受信される自管理室親機の位置情報を記憶するためのものであり、例えば、ＲＡＭ、ＥＥＰＲＯＭ等の各種の記憶媒体が好適とされる。また、管理室ＣＰＵ３０５は、当該管理室親機の構成各部を制御するためのものである。また、管理室Ｉ／Ｆ３０６は、管理室ＣＰＵ３０５及び管理室ラインＬ3の間の信号伝送路を形成するためのものである。
【００２９】
図１に示す制御機４は、表示部（以下、制御機表示部という。）４００、操作部（以下、制御機操作部という。）４０１、位置情報受信装置４０２及び主制御部４０３を有しており、この主制御部４０３には、図２（ｄ）のブロック図に示すように、記憶部（以下、制御機記憶部という。）４３０と、ＣＰＵ（以下、制御機ＣＰＵという。）４３１と、玄関側インターフェース（以下、玄関側制御機Ｉ／Ｆという。）４３２と、居室側インターフェース（以下、居室側制御機Ｉ／Ｆという。）４３３と、管理室側インターフェース（以下、管理室側制御機Ｉ／Ｆという。）４３４とが備えられている。
【００３０】
ここで、制御機表示部４００は、主制御部４０３の制御機ＣＰＵ４３１により制御され、集合玄関機１ａ、１ｂの位置情報受信装置１０４にてそれぞれ受信される位置情報、居室親機２ａ、２ｂ、２ｃ、・・・２ｍの位置情報受信装置２０３にてそれぞれ受信される位置情報、管理室親機３ａ、３ｂの位置情報受信装置３０３にてそれぞれ受信される位置情報をもとに求められる各機器の三次元位置情報を表示するためのものであり、例えば、ＬＣＤ、ＰＤＰ、ＳＥＤ、有機ＥＬディスプレイ等の各種の表示媒体で構成されている。また、制御機操作部４０１は、主制御部４０３の制御機ＣＰＵ４３１により操作検出され、制御機表示部４００に表示される三次元位置情報をもとに任意の機器を選択し、個別の玄関番号、個別の居室番号又は個別の管理室番号を設定するためのものであり、例えば、英数字ボタン、記号ボタン等の各種のキーボタンで構成されている。また、位置情報受信装置４０２は、主制御部４０３の制御機ＣＰＵ４３１により制御され、３個以上の位置情報発信局５ａ、５ｂ、５ｃ、・・・との間でそれぞれ無線通信を行い、自制御機の位置情報を受信するためのものであり、例えば、ＧＰＳ受信機が好適とされる。
【００３１】
主制御部４０３において、制御機記憶部４３０は、集合玄関機１ａ、１ｂに割り当てられる個別の玄関番号、居室親機２ａ、２ｂ、２ｃ、・・・２ｍに割り当てられる個別の居室番号、及び管理室親機３ａ、３ｂに割り当てられる個別の管理室番号をそれぞれ記憶するとともに、位置情報受信装置４０２にて受信される自制御機の位置情報を記憶するためのものであり、例えば、ＲＡＭ、ＥＥＰＲＯＭ等の各種の記憶媒体が好適とされる。また、制御機ＣＰＵ４３１は、当該制御機の構成各部を制御するばかりでなく当該システム全体を制御するためのものであり、具体的な制御としては、集合玄関機１ａ、１ｂの位置情報受信装置１０４にて受信された位置情報、居室親機２ａ、２ｂ、２ｃ、・・・２ｍの位置情報受信装置２０３にて受信された位置情報、又は管理室親機３ａ、３ｂの位置情報受信装置３０３にて受信された位置情報と自制御機の位置情報受信装置４０２にて受信された位置情報との差分をとり差分値を算出し、集合玄関機１ａ、１ｂ、居室親機２ａ、２ｂ、２ｃ、・・・２ｍ又は管理室親機３ａ、３ｂの自制御機からの三次元位置を求めることができる。また、玄関側制御機Ｉ／Ｆ４３２は、制御機ＣＰＵ４３１及び玄関ラインＬ1の間の信号伝送路を形成するためのものである。また、居室側制御機Ｉ／Ｆ４３３は、制御機ＣＰＵ４３１及び居室ラインＬ2の間の信号伝送路を形成するためのものである。さらに、管理室側制御機Ｉ／Ｆ４３４は、制御機ＣＰＵ４３１及び管理室ラインＬ3の間の信号伝送路を形成するためのものである。
【００３２】
このように構成された本発明の実施例による集合住宅インターホンシステムにおいて、以下、具体的な動作について説明する。
【００３３】
図１に示す集合住宅インターホンシステムがマンション等の集合住宅に施工された施工時において、当該システムの施工業者等は、集合玄関機１ａ、１ｂに割り当てるべき個別の玄関番号、居室親機２ａ、２ｂ、２ｃ、・・・２ｍに割り当てるべき個別の居室番号、及び管理室親機３ａ、３ｂに割り当てるべき個別の管理室番号をそれぞれ設定する必要がある。そこで、当該システムの施工業者等は、集合玄関機１ａ、１ｂ、居室親機２ａ、２ｂ、２ｃ、・・・２ｍ、及び管理室親機３ａ、３ｂにそれぞれ電源を投入して駆動させ、制御機４との間で通信が可能な状態に制御した後、制御機４に電源を投入する。
【００３４】
この制御機４において、図２（ｄ）に示す主制御部４０３の制御機ＣＰＵ４３１は、３個以上の位置情報発信局５ａ、５ｂ、５ｃ、・・・のそれぞれと位置情報受信装置４０２との間で無線通信を行い、自制御機の位置情報（以下、制御機位置情報という。）を当該位置情報受信装置にて受信し、この制御機位置情報を制御機記憶部４３０に記憶するとともに、当該制御機位置情報を付加した初期化要求信号を生成する。また、制御機ＣＰＵ４３１にて生成された初期化要求信号は、玄関側制御機Ｉ／Ｆ４３２、玄関ラインＬ1、図２（ａ）に示す集合玄関機１ａ、１ｂの玄関Ｉ／Ｆ１０７を経由して玄関ＣＰＵ１０６と、居室側制御機Ｉ／Ｆ４３３、居室ラインＬ2、図２（ｂ）に示す居室親機２ａ、２ｂ、２ｃ、・・・２ｍの居室Ｉ／Ｆ２０６を経由して居室ＣＰＵ２０５と、管理室側制御機Ｉ／Ｆ４３４、管理室ラインＬ3、図２（ｃ）に示す管理室親機３ａ、３ｂの管理室Ｉ／Ｆ３０６を経由して管理室ＣＰＵ３０５とにそれぞれ伝送される。
【００３５】
次に、図２（ａ）に示す集合玄関機１ａ、１ｂの玄関ＣＰＵ１０６はそれぞれ、図２（ｄ）に示す制御機４を構成する主制御部４０３の制御機ＣＰＵ４３１からの初期化要求信号を検出すると、３個以上の位置情報発信局５ａ、５ｂ、５ｃ、・・・のそれぞれと位置情報受信装置１０４との間で無線通信を行い、自集合玄関機の位置情報（以下、玄関位置情報という。）を当該位置情報受信装置にて受信し、受信された玄関位置情報を玄関記憶部１０５に記憶するとともに、この玄関位置情報と自機器が集合玄関機である旨の機器情報とを付加した初期化応答信号（以下、玄関初期化応答信号という。）を生成する。また、玄関ＣＰＵ１０６にて生成された玄関初期化応答信号は、玄関Ｉ／Ｆ１０７、玄関ラインＬ1、制御機４を構成する主制御部４０３の玄関側制御機Ｉ／Ｆ４３２を経由して制御機ＣＰＵ４３１と、玄関Ｉ／Ｆ１０７、玄関ラインＬ1、自集合玄関機を除く他の当該集合玄関機の玄関Ｉ／Ｆ１０７を経由して玄関ＣＰＵ１０６とにそれぞれ伝送される。
【００３６】
なお、図２（ａ）において、玄関初期化応答信号の送信元を除く他の当該集合玄関機の玄関ＣＰＵ１０６は、伝送されてきた玄関初期化応答信号が、図２（ｄ）に示す制御機４を構成する主制御部４０３の制御機ＣＰＵ４３１からの出力信号でないため、当該玄関初期化応答信号が無効であると判断して何ら処理を行わない。
【００３７】
次に、図２（ｂ）に示す居室親機２ａ、２ｂ、２ｃ、・・・２ｍの居室ＣＰＵ２０５はそれぞれ、図２（ｄ）に示す制御機４を構成する主制御部４０３の制御機ＣＰＵ４３１からの初期化要求信号を検出すると、３個以上の位置情報発信局５ａ、５ｂ、５ｃ、・・・のそれぞれと位置情報受信装置２０３との間で無線通信を行い、自居室親機の位置情報（以下、居室位置情報という。）を当該位置情報受信装置にて受信し、受信された居室位置情報を居室記憶部２０４に記憶するとともに、この居室位置情報と自機器が居室親機である旨の機器情報とを付加した初期化応答信号（以下、居室初期化応答信号という。）を生成する。また、居室ＣＰＵ２０５にて生成された居室初期化応答信号は、居室Ｉ／Ｆ２０６、居室ラインＬ2、制御機４を構成する主制御部４０３の居室側制御機Ｉ／Ｆ４３３を経由して制御機ＣＰＵ４３１と、居室Ｉ／Ｆ２０６、居室ラインＬ1、自居室親機を除く他の当該居室親機の居室Ｉ／Ｆ２０６を経由して居室ＣＰＵ２０５とにそれぞれ伝送される。
【００３８】
なお、図２（ｂ）において、居室初期化応答信号の送信元を除く他の当該居室親機の居室ＣＰＵ２０５はそれぞれ、伝送されてきた居室初期化応答信号が、図２（ｄ）に示す制御機４を構成する主制御部４０３の制御機ＣＰＵ４３１からの出力信号でないため、当該居室初期化応答信号が無効であると判断して何ら処理を行わない。
【００３９】
次に、図２（ｃ）に示す管理室親機３ａ、３ｂの管理室ＣＰＵ３０５はそれぞれ、図２（ｄ）に示す制御機４を構成する主制御部４０３の制御機ＣＰＵ４３１からの初期化要求信号を検出すると、３個以上の位置情報発信局５ａ、５ｂ、５ｃ、・・・のそれぞれと位置情報受信装置３０３との間で無線通信を行い、自管理室親機の位置情報（以下、管理室位置情報という。）を当該位置情報受信装置にて受信し、受信された管理室位置情報を管理室記憶部３０４に記憶するとともに、この管理室位置情報と自機器が管理室親機である旨の機器情報とを付加した初期化応答信号（以下、管理室初期化応答信号という。）を生成する。また、管理室ＣＰＵ３０５にて生成された管理室初期化応答信号は、管理室Ｉ／Ｆ３０６、管理室ラインＬ3、制御機４を構成する主制御部４０３の管理室側制御機Ｉ／Ｆ４３４を経由して制御機ＣＰＵ４３１と、管理室Ｉ／Ｆ３０６、管理室ラインＬ3、自管理室親機を除く他の当該管理室親機の管理室Ｉ／Ｆ３０６を経由して管理室ＣＰＵ３０５とにそれぞれ伝送される。
【００４０】
なお、図２（ｃ）において、管理室初期化応答信号の送信元を除く他の当該管理室親機の管理室ＣＰＵ３０５は、伝送されてきた管理室初期化応答信号が、図２（ｄ）に示す制御機４を構成する主制御部４０３の制御機ＣＰＵ４３１からの出力信号でないため、当該管理室初期化応答信号が無効であると判断して何ら処理を行わない。
【００４１】
前述のように、図２（ａ）に示す集合玄関機１ａ、１ｂの玄関ＣＰＵ１０６からの玄関初期化応答信号、図２（ｂ）に示す居室親機２ａ、２ｂ、２ｃ、・・・２ｍの居室ＣＰＵ２０５からの居室初期化応答信号、及び図２（ｃ）に示す管理室親機３ａ、３ｂの管理室ＣＰＵ３０５からの管理室初期化応答信号がそれぞれ、順次伝送されてきた図２（ｄ）に示す制御機４を構成する主制御部４０３の制御機ＣＰＵ４３１は、各応答信号に付加されている位置情報（玄関位置情報、居室位置情報、管理室位置情報）と制御機記憶部４３０に予め記憶されている制御機位置情報との差分をとり差分値を算出し、集合玄関機１ａ、１ｂ、居室親機２ａ、２ｂ、２ｃ、・・・２ｍ、及び管理室親機３ａ、３ｂのそれぞれの三次元位置を求め、これら三次元位置情報を、各応答信号に同様に付加されている集合玄関機１ａ、１ｂ、居室親機２ａ、２ｂ、２ｃ、・・・２ｍ、及び管理室親機３ａ、３ｂのうち何れかの機器であるかの機器情報にそれぞれ対応させて同図及び図１に示す制御機表示部４００に三次元表示することができる。これにより、当該システムの施工業者等は、制御機表示部４００の表示内容をもとに、集合住宅のどの位置にどの種類の機器が施工されているのかを容易に確認することができる。
【００４２】
この後、当該システムの施工業者等は、図１及び図２（ｄ）に示す制御機４の制御機表示部４００に表示されている三次元位置情報をもとに、制御機操作部４０１を使用して任意の機器を選択、ここでは、集合玄関機１ａを選択し、制御機表示部４００の表示内容を確認しながら個別の玄関番号を設定することができる。この玄関番号は、集合玄関機１ａに割り当てるべき当該玄関番号として、主制御部４０３の制御機ＣＰＵ４３１の制御により制御機記憶部４３０に記憶される。また、制御機ＣＰＵ４３１は、設定された玄関番号と集合玄関機１ａの玄関位置情報とを付加した玄関番号設定信号を生成する。この玄関番号設定信号は、前述の初期化要求信号と同一の信号伝送路を経由して図２（ａ）に示す集合玄関機１ａ、１ｂの玄関ＣＰＵ１０６にそれぞれ伝送される。
【００４３】
図２（ａ）に示す集合玄関機１ａ、１ｂの玄関ＣＰＵ１０６はそれぞれ、図２（ｄ）に示す制御機４を構成する主制御部４０３の制御機ＣＰＵ４３１からの玄関番号設定信号を検出すると、この玄関番号設定信号に付加されている玄関位置情報と玄関記憶部１０５に予め記憶されている玄関位置情報とを照合し、当該玄関位置情報が一致した場合にのみ同様に玄関番号設定信号に付加されている玄関番号が有効であると判断する。ここでは、集合玄関機１ａの玄関ＣＰＵ１０６のみ当該玄関位置情報が一致し、玄関番号設定信号に付加されている玄関番号を、自集合玄関機の玄関番号として割り当てて玄関記憶部１０５に記憶することができる。
【００４４】
なお、当該システムの施工業者等は、集合玄関機１ａを選択し個別の玄関番号を設定する操作と同様な動作を行うことにより、集合玄関機１ｂに割り当てるべき玄関番号を、図１（ａ）に示す集合玄関機１ｂの玄関記憶部１０５及び図２（ｄ）に示す制御機４を構成する主制御部４０３の制御機記憶部４３０にそれぞれ記憶させることができる。
【００４５】
また、当該システムの施工業者等は、図１及び図２（ｄ）に示す制御機４の制御機表示部４００に表示されている三次元位置情報をもとに、制御機操作部４０１を使用して任意の機器を選択するにあたり、ここでは、居室親機２ａを選択し、制御機表示部４００の表示内容を確認しながら個別の居室番号を設定することができる。この居室番号は、居室親機２ａに割り当てるべき当該居室番号として、主制御部４０３の制御ＣＰＵ４３１の制御により制御機記憶部４３０に記憶される。また、制御機ＣＰＵ４３１は、設定された居室番号と居室親機２ａの居室位置情報とを付加した居室番号設定信号を生成する。この居室番号設定信号は、前述の初期化要求信号と同一の信号伝送路を経由して図２（ｂ）に示す居室親機２ａ、２ｂ、２ｃ、・・・２ｍの居室ＣＰＵ２０５にそれぞれ伝送される。
【００４６】
図２（ｂ）に示す居室親機２ａ、２ｂ、２ｃ、・・・２ｍの居室ＣＰＵ２０５はそれぞれ、図２（ｄ）に示す制御機４を構成する主制御部４０３の制御機ＣＰＵ４３１からの居室番号設定信号を検出すると、この居室番号設定信号に付加されている居室位置情報と居室記憶部２０４に予め記憶されている居室位置情報とを照合し、当該居室位置情報が一致した場合にのみ同様に居室番号設定信号に付加されている居室番号が有効であると判断する。ここでは、居室親機２ａの居室ＣＰＵ２０５のみ当該居室位置情報が一致し、居室番号設定信号に付加されている居室番号を、自居室親機の玄関番号として割り当てて居室記憶部２０４に記憶することができる。
【００４７】
なお、当該システムの施工業者等は、居室親機２ａを選択し個別の居室番号を設定する操作と同様な動作を行うことにより、その他の居室親機２ｂ、２ｃ、・・・２ｍに割り当てるべき個別の居室番号を、図１（ｂ）に示す居室親機２ｂ、２ｃ、・・・２ｍの居室記憶部２０４及び図２（ｄ）に示す制御機４を構成する主制御部４０３の制御機記憶部４３０にそれぞれ記憶させることができる。
【００４８】
さらに、当該システムの施工業者等は、図１及び図２（ｄ）に示す制御機４の制御機表示部４００に表示されている三次元位置情報をもとに、制御機操作部４０１を使用して任意の機器を選択するにあたり、ここでは、管理室親機３ａを選択し、制御機表示部４００の表示内容を確認しながら個別の管理室番号を設定することができる。この管理室番号は、管理室親機３ａに割り当てるべき当該管理室番号として、主制御部４０３の制御ＣＰＵ４３１の制御により制御部記憶部４３０に記憶される。また、制御機ＣＰＵ４３１は、設定された管理室番号と管理室親機３ａの管理室位置情報とを付加した管理室番号設定信号を生成する。この管理室番号設定信号は、前述の初期化要求信号と同一の信号伝送路を経由して図２（ｃ）に示す管理室親機３ａ、３ｂの管理室ＣＰＵ３０５にそれぞれ伝送される。
【００４９】
図２（ｃ）に示す管理室親機３ａ、３ｂの管理室ＣＰＵ３０５はそれぞれ、図２（ｄ）に示す制御機４を構成する主制御部４０３の制御機ＣＰＵ４３１からの管理室番号設定信号を検出すると、この管理室番号設定信号に付加されている管理室位置情報と管理室記憶部３０４に予め記憶されている管理室位置情報とを照合し、当該管理室位置情報が一致した場合にのみ同様に管理室番号設定信号に付加されている管理室番号が有効であると判断する。ここでは、管理室親機３ａの管理室ＣＰＵ３０５のみ当該管理室位置情報が一致し、管理室番号設定信号に付加されている管理室番号を、自管理室親機の管理室番号として割り当てて管理室記憶部３０４に記憶することができる。
【００５０】
なお、当該システムの施工業者等は、管理室親機３ａを選択し個別の管理室番号を設定する操作と同様な動作を行うことにより、管理室親機３ｂに割り当てるべき管理室番号を、図１（ｃ）に示す管理室親機３ｂの管理室記憶部３０４及び図２（ｄ）に示す制御機４を構成する主制御部４０３の制御機記憶部４３０にそれぞれ記憶させることができる。
【００５１】
次に、図１に示す集合住宅インターホンシステムがマンション等の集合住宅に施工された施工後であり、集合玄関機１ａ、１ｂに割り当てるべき個別の玄関番号、居室親機２ａ、２ｂ、２ｃ、・・・２ｍに割り当てるべき個別の居室番号、及び管理室親機３ａ、３ｂに割り当てるべき個別の管理室番号をそれぞれ設定した後、当該集合玄関機、居室親機及び管理室親機のうち少なくとも１台の機器を増設する、ここでは、居室親機２ｎを増設するにあたっては、この居室親機２ｎを居室ラインＬ2にバス接続した後、電源を投入して駆動させ、制御機４との間で通信が可能な状態に制御する。
【００５２】
ここで、図２（ｂ）に示す居室親機２ｎの居室ＣＰＵ２０５は、３個以上の位置情報発信局５ａ、５ｂ、５ｃ、・・・のそれぞれと位置情報受信装置２０３との間で無線通信を行い、自居室親機の居室位置情報を当該位置情報受信装置にて受信し、受信された居室位置情報を居室記憶部２０４に記憶するとともに、この居室位置情報と自機器が居室親機である旨の機器情報とを付加した初期化通知信号（以下、居室初期化通知信号という。）を生成する。また、居室ＣＰＵ２０５にて生成された居室初期化通知信号は、居室Ｉ／Ｆ２０６、居室ラインＬ2、図２（ｄ）に示す制御機４を構成する主制御部４０３の居室側制御機Ｉ／Ｆ４３３を経由して制御機ＣＰＵ４３１と、居室Ｉ／Ｆ２０６、居室ラインＬ2、自居室親機を除く他の居室親機２ａ、２ｂ、２ｃ、・・・２ｍの居室Ｉ／Ｆ２０６を経由して居室ＣＰＵ２０５とにそれぞれ伝送される。
【００５３】
なお、図２（ｂ）において、居室親機２ｎを除く他の居室親機２ａ、２ｂ、２ｃ、・・・２ｍの居室ＣＰＵ２０５はそれぞれ、伝送されてきた居室初期化通知信号が、図２（ｄ）に示す制御機４を構成する主制御部４０３の制御機ＣＰＵ４３１からの出力信号でないため、当該居室初期化通知信号が無効であると判断して何ら処理を行わない。
【００５４】
前述のように、図２（ｂ）に示す居室親機２ｎの居室ＣＰＵ２０５からの居室初期化通知信号が伝送されてきた図２（ｄ）に示す制御機４を構成する主制御部４０３の制御機ＣＰＵ４３１は、当該居室初期化通知信号に付加されている居室位置情報と制御機記憶部４３０に記憶されている制御機位置情報との差分をとり差分値を算出し、居室親機２ｎの三次元位置を求め、この三次元位置情報を、当該居室初期化通知信号に同様に付加されている居室親機である旨に対応させて同図及び図１に示す制御機表示部４００に三次元表示することができる。これにより、当該システムの施工業者等は、制御機表示部４００の表示内容をもとに、集合住宅のどの位置に居室親機２ｎが増設されたのかを容易に確認することができる。
【００５５】
この後、当該システムの施工業者等は、図１及び図２（ｄ）に示す制御機４の制御機表示部４００に表示されている三次元位置情報をもとに、制御機操作部４０１を使用して居室親機２ｎを選択し、制御機表示部４００の表示内容を確認しながら個別の居室番号を設定することができる。この居室番号は、居室親機２ｎに割り当てるべき当該居室番号として、主制御部４０３の制御ＣＰＵ４３１の制御により制御機記憶部４３０に記憶される。また、制御機ＣＰＵ４３１は、設定された居室番号と居室親機２ｎの居室位置情報とを付加した居室番号設定信号を生成する。この居室番号設定信号は、前述の初期化要求信号と同一の信号伝送路を経由して図２（ｂ）に示す居室親機２ａ、２ｂ、２ｃ、・・・２ｍ、２ｎの居室ＣＰＵ２０５にそれぞれ伝送される。
【００５６】
図２（ｂ）に示す居室親機２ａ、２ｂ、２ｃ、・・・２ｍ、２ｎの居室ＣＰＵ２０５はそれぞれ、図２（ｄ）に示す制御機４を構成する主制御部４０３の制御機ＣＰＵ４３１からの居室番号設定信号を検出すると、この居室番号設定信号に付加されている居室位置情報と居室記憶部２０４に予め記憶されている居室位置情報とを照合し、当該居室位置情報が一致した場合にのみ同様に居室番号設定信号に付加されている居室番号が有効であると判断する。ここでは、居室親機２ｎの居室ＣＰＵ２０５のみ当該居室位置情報が一致し、居室番号設定信号に付加されている居室番号を、自居室親機の玄関番号として割り当てて居室記憶部２０４に記憶することができる。
【００５７】
なお、前述のように、図１に示す集合住宅インターホンシステムがマンション等の集合住宅に施工された施工後、又は増設後において、図２（ａ）に示す集合玄関機１ａ、１ｂの玄関記憶部１０５及び図２（ｄ）に示す制御機４を構成する主制御部４０３の制御機記憶部４３０にそれぞれ記憶された個別の玄関番号は、（特定の）来訪者が（特定の）居住者又は（特定の）管理人を呼び出す呼出時において呼出元を表す機器番号、通話の成立時における通話対象の機器番号等となる。また、図２（ｂ）に示す居室親機２ａ、２ｂ、２ｃ、・・・２ｍ、２ｎの居室記憶部２０４及び前述の制御機記憶部４３０にそれぞれ記憶された個別の居室番号は、（特定の）来訪者が（特定の）居住者を呼び出す呼出時において呼出先を表す機器番号、（特定の）居住者が（特定の）管理人を呼び出す呼出時において呼出元を表す機器番号、（特定の）管理人が全ての居住者に一斉放送を行う一斉放送時において一斉放送先を表す機器番号、通話の成立時における通話対象の機器番号等となる。さらに、図２（ｃ）に示す管理室親機３ａ、３ｂの管理室記憶部３０４及び前述の制御機記憶部４３０にそれぞれ記憶された個別の管理室番号は、（特定の）来訪者が（特定の）管理人を呼び出す呼出時において呼出先を表す機器番号、（特定の）居住者が（特定の）管理人を呼び出す呼出時において呼出先を表す機器番号、（特定の）管理人が全ての居住者に一斉放送を行う一斉放送時において一斉放送元を表す機器番号、通話の成立時における通話対象の機器番号等となる。
【００５８】
また、前述までの説明によれば、図１に示す集合住宅インターホンシステムがマンション等の集合住宅に施工された施工後であり、集合玄関機１ａ、１ｂに割り当てるべき個別の玄関番号、居室親機２ａ、２ｂ、２ｃ、・・・２ｍに割り当てるべき個別の居室番号、及び管理室親機３ａ、３ｂに割り当てるべき個別の管理室番号をそれぞれ設定した後に増設する少なくとも１台の機器として、居室親機２ｎを適用し、この居室親機２ｎに割り当てるべき居室番号を、図２（ｂ）に示す居室親機２ｎの居室記憶部２０４及び図２（ｄ）に示す制御機４を構成する主制御部４０３の制御機記憶部４３０にそれぞれ記憶させる態様について説明したが、この態様に限定されるものではない。例えば、少なくとも１台の当該集合玄関機、その他の少なくとも１台の当該居室親機、又は少なくとも１台の当該管理室親機を増設し、増設した機器に割り当てるべき個別の機器番号を設定／記憶することができる。
【００５９】
また、前述までの説明によれば、図１、図２（ｄ）にそれぞれ示すように、制御機表示部４００及び制御機操作部４０１が別体で構成された制御機４を適用したが、この態様に限定されるものではない。例えば、制御機操作部４０１をタッチパネル上の操作ボタンとして制御機表示部４００の前面に配置することにより、制御機表示部４００及び制御機操作部４０１を一体で構成することもできる。
【００６０】
最後に、本発明の集合住宅インターホンシステムにおいては、特定の実施の形態をもって説明してきたが、この形態に限定されるものでなく、本発明の効果を奏する限り、これまで知られた如何なる構成の集合住宅インターホンシステムであっても採用できるということはいうまでもないことである。
【図面の簡単な説明】
【００６１】
【図１】図１は、本発明の実施例による集合住宅インターホンシステムの全体構成を示すシステム説明図である。
【図２】図２（ａ）は、本発明の実施例による集合住宅インターホンシステムにおいて、集合玄関機の具体的な構成を示すブロック図である。また、図２（ｂ）は、本発明の実施例による集合住宅インターホンシステムにおいて、居室親機の具体的な構成を示すブロック図である。また、図２（ｃ）は、本発明の実施例による集合住宅インターホンシステムにおいて、管理室親機の具体的な構成を示すブロック図である。さらに、図２（ｄ）は、本発明の実施例による集合住宅インターホンシステムにおいて、制御機の具体的な構成を示すブロック図である。
【符号の説明】
【００６２】
１ａ、１ｂ……集合玄関機
１０４……位置情報受信装置
２ａ、２ｂ、２ｃ、・・・２ｍ……居室親機
２０３……位置情報受信装置
３ａ、３ｂ……管理室親機
３０３……位置情報受信装置
４……制御機
４００……制御機表示部（表示部）
４０１……制御機操作部（操作部）
４０２……位置情報受信装置
５ａ、５ｂ、５ｃ、・・・ ……３個以上の位置情報発信局
【図１】
2009033615.tif 000003
【図２】
2009033615.tif 000004